(57)【要約】【課題】吸収性物品と下着とを確実に止め付けることにより、中央領域体液が漏れ出ることを防止する。【解決手段】吸収性物品１は、着用者の肌に当接する表面シート１０と、液体を透過しない液不透過性の裏面シート２０と、吸収体３０とを有する。表面シート１０には、吸収性物品１の幅方向所定の間隔を有し、吸収性物品１の長手方向に延在する一対のサイドシート２０１，２０２が配設される。吸収性物品１は、裏面シート２０の着用者の肌側とは反対の表面に、着用者の下着に固定する固定領域１０１，１０２を有する。吸収性物品１の厚み方向において、固定領域１０１とサイドシート２０１とは互いに部分的に対向して配置される。固定領域１０２とサイドシート２０２とは互いに部分的に対向して配置される。【選択図】図１
2010284231.tif 000002
【特許請求の範囲】
【請求項１】
着用者の肌に当接する当接面を有する表面シートと、
液体を透過しない液不透過性の裏面シートと、
前記表面シートと前記裏面シートとの間に設けられる吸収体とを備える吸収性物品であって、
前記表面シート側に配設されており、前記吸収性物品の幅方向に所定の間隔を有し前記吸収性物品の長手方向に延在する一対の防漏部と、
前記着用者の肌側とは反対の前記裏面シートの表面に配置され、前記吸収性物品を前記着用者の下着に固定する固定領域とを有し、
前記吸収性物品の平面視において、前記固定領域に対応する領域と前記防漏部に対応する領域とは、互いに部分的に重なる吸収性物品。
【請求項２】
着用者の股下部に対応する中央領域において前記吸収体の幅方向外側に延出するウィング部を備え、
前記防漏部は、前記ウィング部の前記吸収性物品への配設位置である付け根部分よりも前記吸収性物品の幅方向外側に延出されており、
前記固定領域は、前記ウィング部に形成される請求項１に記載の吸収性物品。
【請求項３】
前記吸収性物品の幅は、部分的に異なっており、
着用者の股下部に対応する中央領域において前記吸収体の幅方向外側に延出するウィング部を備え、
前記ウィング部は、前記吸収性物品の幅が前記吸収性物品の他の位置の幅よりも狭い位置に連結される付け根部分を有し、
前記防漏部は、前記付け根部分よりも前記吸収性物品の幅方向外側に延出されており、
前記固定領域は、前記ウィング部に形成される請求項１に記載の吸収性物品。
【請求項４】
前記防漏部は、前記吸収性物品の幅方向内側に対応する位置で前記表面シートに接合される固定端と、前記幅方向外側に位置する外縁部とを有し、
前記吸収性物品の平面視において、前記固定領域の幅方向内側に位置する固定領域内縁部は、前記外縁部に対応する位置よりも内側にある請求項１に記載の吸収性物品。
【請求項５】
前記防漏部は、前記吸収性物品の幅方向内側に対応する位置で前記表面シートに接合される固定端と、前記幅方向外側に位置する外縁部とを有し、
前記防漏部は、前記吸収性物品の平面視において、
前記固定端と、
前記外縁部に対応する位置よりも内側かつ前記固定端よりも幅方向外側のウィング接合部とにおいて、前記表面シートに接合される請求項１に記載の吸収性物品。
【請求項６】
前記吸収性物品の平面視において、前記固定領域に対応する領域と前記ウィング接合部に対応する領域とは、互いに部分的に重なる請求項５に記載の吸収性物品。
【請求項７】
前記吸収体よりも前記吸収性物品の幅方向外側に設けられ、前記中央領域よりも前記着用者の後方側に対応する後方領域において前記吸収体の幅方向外側に延出する後方ウィング部と、
前記後方ウィング部の前記着用者の肌側とは反対の表面に配置され、前記吸収性物品を前記着用者の下着に固定する後方固定領域とを有する請求項１に記載の吸収性物品。
【請求項８】
前記防漏部は、前記吸収性物品の幅方向内側に対応する位置で前記表面シートに接合される固定端と、
前記後方ウィング部における前記着用者の肌側の表面に接合される後方接合部とを有し、
前記吸収性物品の平面視において、前記後方固定領域に対応する領域と前記後方接合部に対応する領域とは互いに部分的に重なる請求項７に記載の吸収性物品。
【請求項９】
前記防漏部は、前記吸収性物品の長手方向に伸縮性を有する請求項１に記載の吸収性物品。
【発明の詳細な説明】
【技術分野】
【０００１】
着用者の肌に当接する当接面を有する表面シートと、液体を透過しない液不透過性の裏面シートと、前記表面シートと前記裏面シートとの間に設けられる吸収体とを備える吸収性物品に関する。
【背景技術】
【０００２】
従来、生理用ナプキンやパンティライナーなどの吸収性物品は、着用者の前側（腹側）から後ろ側（背中側）に延びる縦長の形状を有する。一般的に、吸収性物品は、液透過性の表面シートと、液不透過性の裏面シートと、表面シートと裏面シートとの間に設けられる吸収体とを備える。
【０００３】
このような吸収性物品のなかには、体液が吸収性物品から漏れ出ることを防止するギャザー（防漏部）が設けられるものもある。ギャザーは、吸収性物品の長手方向に沿って設けられており、下着へ装着した状態で、着用者の股下に対応する中央領域において、着用者の肌方向に立ち上がる形状を有する。これにより、中央領域において、着用者の肌と吸収性物品との密着性が高められている。
【先行技術文献】
【特許文献】
【０００４】
【特許文献１】特開２００５−７０７５号公報（第４図乃至第６図）
【発明の概要】
【発明が解決しようとする課題】
【０００５】
しかし、上述した従来の吸収性物品には、次のような問題点が考えられる。すなわち、着用者の動きによっては、中央領域における吸収性物品と下着との留め付けが不十分になることがあった。
【０００６】
生理用ナプキンのような吸収性物品では、着用者の動きに合わせて、吸収性物品と下着とが中央領域において互いに前後方向にずれないこと、或いは吸収性物品が下着から離れないことが望まれる。
【０００７】
そこで、本発明は、吸収性物品と下着とを確実に止め付けることにより、中央領域体液が漏れ出ることを防止できる吸収性物品を提供することを目的とする。
【課題を解決するための手段】
【０００８】
上述した課題を解決するため、本発明は、次のような特徴を有する。すなわち、着用者の肌に当接する当接面を有する表面シート（表面シート１０）と、液体を透過しない液不透過性の裏面シート（裏面シート２０）と、前記表面シートと前記裏面シートとの間に設けられる吸収体（吸収体３０）とを備える吸収性物品（吸収性物品１）であって、前記表面シートに配設されており、前記吸収性物品の幅方向に所定の間隔を有し前記吸収性物品の長手方向に延在する一対の防漏部（サイドシート２０１，２０２）と、前記裏面シートの前記着用者の肌側とは反対の表面に配置され、前記吸収性物品を前記着用者の下着に固定する固定領域（接着材１００，固定領域１０１，１０２）とを有し、前記吸収性物品の平面視において、前記固定領域に対応する領域と前記防漏部に対応する領域とは、互いに部分的に重なることを要旨とする。
【発明の効果】
【０００９】
本発明によれば、吸収性物品と下着とを確実に止め付けることにより、中央領域から体液が漏れ出ることを防止できる吸収性物品を提供することができる。
【図面の簡単な説明】
【００１０】
【図１】図１は、第１実施形態に係る吸収性物品１の平面図である。
【図２】図２は、図１に示すＦ１−Ｆ１’線における断面図である。
【図３】図３は、第２実施形態に係る吸収性物品２の平面図である。
【図４】図４は、図３に示すＦ３−Ｆ３’線における断面図である。
【図５】図５は、第３実施形態に係る吸収性物品３の平面図である。
【図６】図６は、図５に示すＦ５−Ｆ５’線における断面図である。
【図７】図７は、第４実施形態に係る吸収性物品４の平面図である。
【図８】図８は、図７に示すＦ７Ｆ−Ｆ７Ｆ’線における断面図である。
【図９】図９は、図７に示すＦ７Ｍ−Ｆ７Ｍ’線における断面図である。
【図１０】図１０は、図７に示すＦ７Ｒ−Ｆ７Ｒ’線における断面図である。
【図１１】図１１は、第４実施形態の防漏部の変形例を示す断面図である。
【図１２】図１２は、第４実施形態の防漏部の変形例を示す断面図である。
【図１３】図１３は、第５実施形態に係る吸収性物品５の平面図である。
【図１４】図１４は、図１３に示すＦ１３Ａ−Ｆ１３Ａ’線における断面図である。
【図１５】図１５は、図１３に示すＦ１３Ｂ−Ｆ１３Ｂ’線における断面図である。
【発明を実施するための形態】
【００１１】
本発明に係る吸収性物品について、図面を参照しながら説明する。具体的には、第１〜第５実施形態について説明する。
【００１２】
なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１３】
（第１実施形態）
図１及び図２を参照して、本発明の第１実施形態に係る吸収性物品１について説明する。図１は、本発明の実施形態に係る吸収性物品１の平面図である。図２は、図１に示すＦ１−Ｆ１’線における断面図である。
【００１４】
図１に示す吸収性物品１は、例えば、生理用ナプキンである。図１に示すように、吸収性物品１は、前方領域Ｆと中央領域Ｍと後方領域Ｒとを有する。中央領域Ｍは、着用者の膣口周辺の肌表面に接触する。前方領域Ｆは、中央領域よりも着用者の前方側（腹側）の肌表面に接触する。後方領域Ｒは、中央領域よりも着用者の後方側（背側）の肌表面に接触する。
【００１５】
吸収性物品１は、着用者の肌に当接する表面シート１０と、液体を透過しない液不透過性の裏面シート２０と、吸収体３０とを有する。表面シート１０には、吸収性物品１の幅方向所定の間隔を有し、吸収性物品１の長手方向に延在する一対のサイドシート２０１，２０２が配設される。
【００１６】
吸収性物品１は、裏面シート２０の着用者の肌側とは反対の表面に、着用者の下着に固定する固定領域を有する。ここで、固定領域とは、接着材、接着テープ、面ファスナーなどが配置される領域である。本実施形態では、着用者が吸収性物品１を下着に固定するための接着材が塗工された領域を示す。したがって、以下では、固定領域を接着材１００が配置された固定領域１０１，１０２という。
【００１７】
なお、本実施形態では、接着材１００は、任意のパターンで容易に塗布できるホットメルト粘着材を使用する。ホットメルト粘着材は、スチレン系ポリマー、粘着付与剤、可塑剤から構成される。スチレン系ポリマーとしては、スチレン−エチレン−ブチレン−スチレンブロック共重合体、スチレン−ブタジエン−スチレンブロック共重合体、スチレン−イソブチレン−スチレンブロック共重合体、などを用いることができる。本実施形態では、スチレン−エチレン−ブチレン−スチレンブロック共重合体を使用した。粘着材は上記のものに限られないが、柔らかく、常温で被着体の繊維と繊維の間にめり込んで付着できる常温感圧性ホットメルト接着材（Ｈｏｔ Ｍｅｌｔ Ａｄｈｅｓｉｖｅ）を使用することができる。
【００１８】
固定領域１０１，１０２は、図１において、破線で示される。図１に示すように、吸収性物品１の厚み方向において、固定領域１０１に対応する領域とサイドシート２０１に対応する領域とは互いに部分的に重なっている。固定領域１０２に対応する領域とサイドシート２０２に対応する領域とは互いに部分的に重なっている。また、着用者の下着と接触する裏面シート２０の表面には、裏面シート２０の長手方向に沿って接着材７０がライン状に塗布される（図１には不図示、図２参照）。接着材７０は、裏面シート２０の長手方向に沿って複数ライン塗布される。
【００１９】
本実施形態において、表面シート１０は、不織布である。表面シート１０の素材は、織布、有孔プラスチックシート等、液体を透過する構造のシート状の材料であれば、特に限定されない。織布や不織布の素材としては、天然繊維、化学繊維のいずれも使用できる。
【００２０】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維などが挙げられる。熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。
【００２１】
不織布のウェブフォーミング方法としては、乾式（カード法、スパンボンド法、メルトブローン法、エアレイド法等）及び湿式のいずれか一つの方法を用いることができる。乾式法と湿式法のうち、複数の方法を組み合わせてもよい。また、サーマルボンディング、ニードルパンチ、ケミカルボンディング等の方法が挙げられる。不織布を作成する方法は、上述の方法に限定されない。
【００２２】
また、水流交絡法によりシート状に形成したスパンレースを表面シート１０に用いることもできる。また、不織布の上層側に凹凸を付けた不織布、又はウェブ形成時にエアーを当てることにより不織布に目付ムラを設けた凹凸不織布を表面シート１０に用いることもできる。表面に凹凸を形成することにより、体液が表面シート１０を透過する前に表面シート１０の表面を伝わって拡散することを軽減できる。
【００２３】
次に、裏面シート２０について具体的に説明する。
【００２４】
本実施形態において、裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。例えば、低密度ポリエチレン（ＬＤＰＥ）樹脂を主体とし、目付（単位面積当りの重さ（ｇ））が１５〜３０ｇ/ｍ２の範囲のフィルムを使用することが好ましい。
【００２５】
次に、吸収体３０について具体的に説明する。
【００２６】
吸収体３０は、親水性繊維、パルプを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。
【００２７】
親水性繊維に高分子吸収体を混合したものを吸収体３０として使用しても良い。本実施形態では、高分子吸収体は、吸収性、吸湿性のあるアクリル酸ナトリウム共重合体等の粒状ポリマーである。
【００２８】
吸収体３０は、親水性繊維又は粉体をエアレイド法によってシート状に成形したエアレイドシートでもよい。吸収体３０として、エアレイドシートを使用する場合、エアレイドシートの厚さは、０．３〜５．０ｍｍであるのが好ましい。エアレイドシートの例としては、繊維と粒子状ポリマーとをバインダー等でシート物に成形したものが挙げられる。なお、粒子状ポリマーは、エアレイドシートにおいて、層状に分散されていてもよいし、厚み方向に偏っていてもよい。
【００２９】
吸収体３０には、着用中の型崩れやヨレの防止、又は厚みを調整するため、エンボスが形成されていてもよい。吸収体３０へのエンボスは、パターニングされたエンボスロールとフラットロールとの間に、吸収体を通紙することによって形成できる。エンボスロールのパターンは、格子状・ドット状・波状等が用いられるが、厚みを調整しやすい格子状のパターンが好ましい。
【００３０】
次に、サイドシート２０１，２０２について具体的に説明する。
【００３１】
サイドシート２０１，２０２は、表面シート１０の表面であって、吸収体３０の両側に配設される。サイドシート２０１の長手方向の一方の端部は、略直線であり、表面シート１０の長手方向の一方の端部と重なる。サイドシート２０１の長手方向の他方の端部は、表面シート１０及び裏面シート２０の外周の一部の形状と一致する。
【００３２】
経血がサイドシート２０１，２０２を乗り越えて吸収性物品１外方へ流れることを防止するためには、疎水性又は撥水性を有することが好ましい。具体的には、スパンボンド不織布やＳＭＳ不織布などが挙げられる。表面シート１０及びサイドシート２０１，２０２は、肌との当接面を構成する。すなわち、本実施形態において、サイドシート２０１，２０２は、表面シート１０の表面を伝う体液が吸収性物品１の外側へ漏れることを防止する防漏部を構成する。
【００３３】
以上のように、吸収性物品１は、防漏部として機能するサイドシート２０１，２０２に対応する領域と、下着へ固定される固定領域１０１，１０２に対応する領域とが、吸収性物品１の平面視において、互いに重なっている。着用者の股下に対応する中央領域では、特に、吸収性物品１が縒れたり、前後方向にずれたりしやすい。これに対して、吸収性物品１によれば、中央領域Ｍにおける吸収性物品１と下着との留め付けを確実にすることができ、中央領域Ｍにおいて、表面シート１０の表面を伝う体液が吸収性物品１の外側へ漏れることを防止できる。
【００３４】
（第２実施形態）
図３及び図４を参照して、本発明の第２実施形態に係る吸収性物品２について説明する。図３は、本発明の実施形態に係る吸収性物品２の平面図である。図４は、図３に示すＦ３−Ｆ３’線における断面図である。吸収性物品２と吸収性物品１とは形状が異なる。第１実施形態と同一の構成には、同一の番号を付けて詳細な説明を省略する。
【００３５】
図３に示す吸収性物品２では、裏面シート２０は、中央ウィング部２１、中央ウィング部２２を有する。中央ウィング部２１と中央ウィング部２２は、吸収性物品２の幅方向の対応する位置に一対形成される。中央ウィング部２１と中央ウィング部２２は、中央領域Ｍにおいて吸収性物品２の幅方向に延出されている。裏面シート２０の中央領域Ｍの幅は、前方領域Ｆ及び後方領域Ｒの幅よりも大きい。
【００３６】
吸収性物品２は、サイドシートとは異なる別の防漏部２０３，２０４を備える。防漏部２０３，２０４は、表面シート１０の両側に配設される。
【００３７】
中央ウィング部２１は、吸収性物品２への取付位置である付け根部分２１ａを有する。吸収性物品２では、付け根部分２１ａは、吸収性物品２の幅が最も狭い位置に連結される。防漏部２０３は、付け根部分２１ａよりも吸収性物品２の幅方向外側に延出される。防漏部２０３は、付け根部分２１ａの近傍に設けられた接合部２３において、表面シート１０の着用者の肌側の表面に接着されていることが好ましい。
【００３８】
また、中央ウィング部２２は、吸収性物品２への取付位置である付け根部分２２ａを有する。吸収性物品２では、付け根部分２２ａは、吸収性物品２の幅が最も狭い位置に連結される。防漏部２０４は、付け根部分２２ａよりも吸収性物品２の幅方向外側に延出される。防漏部２０４は、付け根部分２２ａの近傍に設けられた接合部２４において、表面シート１０の着用者の肌側の表面に接着されていることが好ましい。
【００３９】
中央ウィング部２１及び中央ウィング部２２における着用者の肌側とは反対の表面には、接着材１００が塗布される固定領域１０３，１０４が形成される。防漏部２０３，２０４に対応する領域と、固定領域１０３，１０４に対応する領域とは、吸収性物品２の平面視において、互いに重なっている。中央ウィング部２１，２２は、下着のクロッチ部に折り返される。
【００４０】
以上のように、中央ウィング部２１，２２が下着のクロッチ部に折り返されることにより、固定領域１０３，１０４が下着のクロッチ部に接着される。従って、吸収性物品２の中央領域Ｍと下着との留め付けを確実にすることができ、中央領域Ｍにおいて、表面シート１０の表面を伝う体液が吸収性物品２の外側へ漏れることを防止できる。
【００４１】
従来、吸収性物品２の防漏部２０３，２０４に相当する防漏部を備えた吸収性物品では、使用時に下着に係止されてから下着を引き上げて装着する間に、吸収性物品の側部及び防漏部着用者の脚部と摩擦することにより、下着の着用者の肌との当接面の反対側に捲れる力を受け易い。また、防漏部に連れて吸収性物品も不安定な状態で装着されてしまう可能性があった。
【００４２】
これに対して、吸収性物品２は、中央ウィング部２１,２２における着用者の肌側とは反対の表面には、接着材１００が塗布される固定領域１０３，１０４が形成される。吸収性物品２は、防漏部に対応する部分に固定領域１０３，１０４が配置されることで、装着時に吸収性物品２を下着の所定位置に安定させることができる。従って、吸収性物品２が縒れた状態で装着されることを防止できる。
【００４３】
更に、防漏部２０３，２０４が接合部２３，２４により表面シート１０に接合されている場合には、装着時に、防漏部２０３，２０４が下着の着用者の肌との当接面の反対側に捲れる変形を防止することができる。
【００４４】
（第３実施形態）
図５及び図６を参照して、本発明の第３実施形態に係る吸収性物品３について説明する。図５は、本発明の実施形態に係る吸収性物品３の平面図である。図６は、図５に示すＦ５−Ｆ５’線における断面図である。吸収性物品３と吸収性物品１とは形状が異なる。第１,第２実施形態と同一の構成には、同一の番号を付けて詳細な説明を省略する。
【００４５】
図５に示す吸収性物品３は、前方領域Ｆと中央領域Ｍと後方領域Ｒとを有する。中央領域Ｍは、着用者の膣口周辺の肌表面に接触する。前方領域Ｆは、中央領域よりも着用者の前方側（腹側）の肌表面に接触する。後方領域Ｒは、中央領域よりも着用者の後方側（背側）の肌表面に接触する。
【００４６】
吸収性物品３は、吸収性物品１の後方領域Ｒが後方に拡張された構造を有する生理用ナプキンである。吸収性物品３は、着用者の肌に当接する表面シート１０と、液体を透過しない液不透過性の裏面シート２０と、吸収体３０とを有する。表面シート１０には、吸収性物品３の幅方向に所定の間隔を有し、吸収性物品３の長手方向に延在する一対のサイドシート４１，４２が配設される。
【００４７】
吸収性物品３は、ギャザー２０５，２０６と、ウィング部６０とを備える。ギャザー２０５，２０６は、吸収性物品３の中央領域Ｍを含む領域において、吸収体３０の両側縁部３１に設けられる。吸収性物品３では、別体として製造されたギャザー２０５，２０６を所定位置に配設する。ウィング部６０は、吸収体３０よりも吸収性物品３の幅方向の外側に設けられ、吸収体３０の幅方向の外側に延出されている。本実施形態において、ギャザー２０５，２０６は、防漏部を構成する。
【００４８】
ウィング部６０は、裏面シート２０及びサイドシート４１，４２によって構成される。ウィング部６０は、液不透過性の材料によって形成される。ウィング部６０は、下着のクロッチ部（股下部）に折り返され、下着に止められる中央ウィング部６１ｆ，６２ｆと、中央ウィング部６１ｆ，６２ｆよりも着用者の後方側に設けられ、下着の形状に沿って吸収性物品３の幅方向の外側に延出する後方ウィング部６１ｒ，６２ｒとによって構成される。
【００４９】
中央ウィング部６１ｆ，６２ｆは、中央領域Ｍにおいて吸収体３０の幅方向の外側に延出する。中央ウィング部６１ｆ，６２ｆには、吸収性物品３の幅が最も狭い位置に連結される付け根部分６１ａ，６２ａを有する。後方ウィング６１ｒ，６２ｒは、中央ウィング部６１ｆ，６２ｆよりも後方側の後方領域Ｒにおいて吸収体３０の幅方向の外側に延出する。
【００５０】
吸収性物品３は、中央ウィング部６０における裏面シート２０の着用者の肌側とは反対の表面には、接着材１００が配置された固定領域１０５，１０６を有する。固定領域１０５，１０６は、図５において、破線で示される。図５に示すように、吸収性物品３の平面視において、固定領域１０５に対応する領域とギャザー２０５に対応する領域とは互いに部分的に重なっている。また、固定領域１０６に対応する領域とギャザー２０６に対応する領域とは互いに部分的に重なっている。また、着用者の下着と接触する裏面シート２０の表面には、裏面シート２０の長手方向に沿って接着材７０がライン状に塗布される（図５には不図示、図６参照）。接着材７０は、裏面シート２０の長手方向に沿って複数ライン塗布される。
【００５１】
次に、上述したギャザー２０５，２０６の構成を説明する。
【００５２】
ギャザー２０５，２０６は、不織布や開孔フィルムなどによって形成される。本実施形態では、ギャザー２０５，２０６は、表面シート１０やサイドシート４１，４２とは異なる別のシートである。ギャザー２０５，２０６は、吸収性物品３の少なくとも中央領域Ｍに配設される。
【００５３】
図６に示すように、使用時（着用時）にギャザー２０５，２０６は、厚み方向において表面シート１０から離れる方向（以下、起立方向Ｔ）に立ち上がる。すなわち、着用者の肌側へ向かって立ち上がる。これにより、ギャザー２０５，２０６は、着用者の体液が吸収性物品３から漏れることを防止している。
【００５４】
本実施形態では、ギャザー２０５は、吸収体３０の幅方向の両側の縁部に対応する位置において表面シート１０に接合される固定端２２１と、中央ウィング部６１ｆにおける着用者の肌側の表面に接合される中央ウィング接合部２３１とを有する。固定領域１０５は、吸収性物品の厚み方向において、ギャザー２０５と互いに対向する位置に形成される。
【００５５】
また、ギャザー２０６は、吸収体３０の幅方向の両側の縁部に対応する位置において表面シート１０に接合される固定端２２２と、中央ウィング部６２ｆにおける着用者の肌側の表面に接合される中央ウィング接合部２３２とを有する。固定領域１０６は、吸収性物品の厚み方向において、ギャザー２０６と互いに対向する位置に形成される。
【００５６】
以上のように、吸収性物品３では、中央ウィング部６１ｆが下着のクロッチ部に折り返されて、固定領域１０５，１０６が下着のクロッチ部に接着されると、中央ウィング接合部２３１，２３２において表面シート１０に接合されたギャザー２０５，２０６が幅方向外側に開いた状態で固定される。従って、吸収性物品３の中央領域Ｍと下着との留め付けを確実にすることができる。
【００５７】
ギャザーを有する吸収性物品では、ギャザーの収縮力が吸収性物品の長手方向に働く。そのため、使用時に下着に係止されてから下着を引き上げて装着するまでの間に、ギャザーの収縮によってギャザーが浮き上がり、それに連れて吸収性物品が下着から離れる方向に引き寄せられる傾向があった。
【００５８】
これに対して、吸収性物品３は、ギャザー２０５，２０６に対応する位置に、固定領域１０５，１０６を備えると共に、中央ウィング接合部２３１，２３２によって表面シート１０に接合されているため、上述した状況において、ギャザー２０５，２０６が表面シート１０から浮き上がることを防止することができる。また、ギャザー２０５，２０６に連れて吸収性物品３が下着から離れることを防止することができるため、吸収性物品３を下着の適正な位置に確実に留め付けることができる。
【００５９】
（第４実施形態）
図７乃至図９を参照して、本発明の第４実施形態に係る吸収性物品４について説明する。図７は、本発明の実施形態に係る吸収性物品４の平面図である。図８は、図７に示すＦ７Ｆ−Ｆ７Ｆ’線における断面図である。図９は、図７に示すＦ７Ｍ−Ｆ７Ｍ’線における断面図である。図１０は、図７に示すＦ７Ｒ−Ｆ７Ｒ’線における断面図である。吸収性物品４と吸収性物品３とはギャザーの形態が異なる。第１〜第３実施形態と同一の構成には、同一の番号を付けて詳細な説明を省略する。
【００６０】
吸収性物品４は、ギャザー２０７，２０８を有する。ギャザー２０７，２０８は、表面シート１０に配設されており、吸収性物品４の幅方向に所定の間隔を有し吸収性物品４の長手方向に延在する。ギャザー２０７，２０８は、前方領域Ｆから後方領域Ｒに亘って延びる。本実施形態において、ギャザー２０７，２０８は、防漏部を構成する。
【００６１】
吸収性物品４は、前方ウィング部６３，６４と、中央ウィング部６５，６６と、後方ウィング部６７，６８とを備える。各ウィング部は、裏面シート２０及びサイドシート４１，４２によって構成される。各ウィング部は、液不透過性の材料によって形成される。
【００６２】
前方ウィング部６３，６４は、中央ウィング部６５，６６よりも着用者の前方側に設けられる。中央ウィング部６５，６６は、下着のクロッチ部（股下部）に折り返され、下着に止められる。後方ウィング部６７，６８は、中央ウィング部６５，６６よりも着用者の後方側に設けられ、下着の形状に沿って吸収性物品４の幅方向の外側に延出する。
【００６３】
ギャザー２０７，２０８は、別体として製造された後、所定位置に配設されてもよいし、ウィング部を構成するシートと一体に形成されていてもよい。吸収性物品４では、ウィング部を構成するシートを折り返して形成されている。
【００６４】
前方ウィング部６３，６４の、裏面シート２０の着用者の肌側とは反対の表面の固定領域１０７Ｆ，１０８Ｆには接着材１００が配置される。固定領域１０７Ｆ，１０８Ｆは、図７において破線で示される。図７に示すように、吸収性物品４の平面視において、固定領域１０７Ｆに対応する領域とギャザー２０７に対応する領域とは互いに部分的に重なっている。また、固定領域１０８Ｆに対応する領域とギャザー２０８に対応する領域とは互いに部分的に重なっている。
【００６５】
ギャザー２０７は、吸収体３０の幅方向の両側の縁部に対応する位置において表面シート１０に接合される固定端２２３と、前方ウィング部６３における着用者の肌側の表面に接合される前方ウィング接合部２３３Ｆとを有する。ギャザー２０８は、吸収体３０の幅方向の両側の縁部に対応する位置において表面シート１０に接合される固定端２２４と、前方ウィング部６４における着用者の肌側の表面に接合される前方ウィング接合部２３４Ｆとを有する。吸収性物品４の平面視において、固定領域１０７Ｆに対応する領域と前方ウィング接合部２３３Ｆに対応する領域とは、互いに重なる。固定領域１０８Ｆに対応する領域と前方ウィング接合部２３４Ｆに対応する領域とは、互いに重なる。
【００６６】
中央ウィング６５，６６の、裏面シート２０の着用者の肌側とは反対の表面の固定領域１０７Ｍ，１０８Ｍには接着材１００が配置される。固定領域１０７Ｍ，１０８Ｍは、図７において破線で示される。図７に示すように、吸収性物品４の平面視において、固定領域１０７Ｍに対応する領域とギャザー２０７に対応する領域とは互いに部分的に重なっている。また、固定領域１０８Ｍに対応する領域とギャザー２０８に対応する領域とは互いに部分的に重なっている。
【００６７】
ギャザー２０７は、吸収体３０の幅方向の両側の縁部に対応する位置において表面シート１０に接合される固定端２２３と、中央ウィング部６５における着用者の肌側の表面に接合される中央ウィング接合部２３３Ｍとを有する。ギャザー２０８は、吸収体３０の幅方向の両側の縁部に対応する位置において表面シート１０に接合される固定端２２４と、中央ウィング部６６における着用者の肌側の表面に接合される中央ウィング接合部２３４Ｍとを有する。
【００６８】
後方ウィング部６７，６８の、裏面シート２０の着用者の肌側とは反対の表面の固定領域１０７Ｒ，１０８Ｒには接着材１００が配置される。固定領域１０７Ｒ，１０８Ｒは、図７において破線で示される。図７に示すように、吸収性物品４の平面視において、固定領域１０７Ｒに対応する領域とギャザー２０７に対応する領域とは互いに重なっている。また、固定領域１０８Ｒに対応する領域とギャザー２０８に対応する領域とは互いに重なっている。
【００６９】
ギャザー２０７は、吸収体３０の幅方向の両側の縁部に対応する位置において表面シート１０に接合される固定端２２３と、後方ウィング部６７における着用者の肌側の表面に接合される後方ウィング接合部２３３Ｒとを有する。ギャザー２０８は、吸収体３０の幅方向の両側の縁部に対応する位置において表面シート１０に接合される固定端２２４と、後方ウィング部６８における着用者の肌側の表面に接合される後方ウィング接合部２３４Ｒとを有する。固定領域１０７Ｒに対応する領域は、後方ウィング接合部２３３Ｒに対応する領域と互いに部分的に重なっている。固定領域１０８Ｒに対応する領域は、中央ウィング接合部２３４Ｍに対応する領域と互いに部分的に重なっている。
【００７０】
また、着用者の下着と接触する裏面シート２０の表面には、裏面シート２０の長手方向に沿って接着材７０がライン状に塗布される（図７には不図示、図８乃至図１０参照）。接着材７０は、裏面シート２０の長手方向に沿って複数ライン塗布される。
【００７１】
以上のように、吸収性物品４では、中央ウィング部６５，６６が下着の肌側とは反対の表面に折り返されて１０７Ｍ，１０８Ｍが接着されるとともに、前方ウィング部６３，６４及び後方ウィング部６７，６８に設けられた固定領域１０７Ｆ，１０８Ｍ，１０７Ｒ，１０８Ｒが下着に接着されると、ギャザー２０７，２０８が幅方向外側に開いた状態で固定される。従って、ギャザー２０７，２０８が吸収面に向かって倒れることがなく、装着されるまでの間、平面状態を保持することができる。また、装着時においても、ギャザー２０７，２０８が吸収面に向かって倒れ込むことを防止でき、吸収面を確保することができる。従って、吸収性物品４の中央領域Ｍと下着との留め付けを確実にするとともに、中央領域Ｍにおいて、表面シート１０の表面を伝う体液が吸収性物品４の外側へ漏れることを防止できる。
【００７２】
また、吸収性物品４は、ギャザー２０７，２０８が中央ウィング接合部２３３Ｍ,２３４Ｍ、前方ウィング接合部２３３Ｆ，２３４Ｆ、後方ウィング接合部２３３Ｒ，２３４Ｒによってウィング部を構成するシート部分に接合されるため、吸収性物品４が下着に係止されてから下着を引き上げて装着するまでの間に、ギャザー２０７，２０８がウィング部を構成するシート部分から浮き上がることを防止することができる。また、ギャザー２０７，２０８に連れて吸収性物品４が下着から離れることを防止することができるため、吸収性物品４を下着の適正な位置に確実に留め付けることができる。
【００７３】
（ギャザーの変形例）
ギャザーは、裏面シートの着用者の肌側とは反対の表面に形成される接着材が配置される領域（固定領域）と、吸収性物品の厚み方向において、互いに部分的に対向して配置されていればよい。従って、ギャザーの断面形状は、図８乃至１０に示した例に限定されない。変形例として示すギャザーは、図７と同様、前方領域Ｆ〜後方領域Ｒに亘って形成されるものとする。そのため前方領域Ｆ〜後方領域Ｒにおけるギャザーと表面シートとの接合部の位置、ギャザーの折返し形状については、図８乃至図１０に示した例を適用できる。そのため、変形例では、代表的な箇所、中央領域Ｍ（図７に示すＦ７Ｍ−Ｆ７Ｍ’線）における断面形状についてのみ説明する。
【００７４】
図１１,図１２は、変形例として示すギャザーの断面図である。
【００７５】
図１１に示すギャザー２０９は、固定端２２５と、第１防漏面２５１と、第２防漏面２５２と、第３防漏面２５３とを有する。ギャザー２０９は、固定端２２５において吸収体３０の幅方向の両側の縁部に対応する位置において表面シート１０に接合される。第１防漏面２５１は、固定端２２５から吸収性物品の幅方向外側へ向けて延びる。
【００７６】
第２防漏面２５２は、第１防漏面２５１の端部２５１ａにおいて折り返され、吸収性物品の幅方向内側に向けて延びる。第３防漏面２５３は、第２防漏面２５２の端部２５２ａから吸収性物品の幅方向外側へ向けて延びる。ギャザー２０９は、第３防漏面２５３の端部２５３ａに表面シート１０と接合される接合部２３５を有する。
【００７７】
図１１に示す変形例では、吸収性物品の厚み方向において、接着材１００が配設される固定領域１０９とギャザー２０９とは、互いに部分的に重なる位置に配置される。また、固定領域１０９は、接合部２３５と互いに重なる位置に配置される。
【００７８】
図１２に示すギャザー２１１は、固定端２２７と、第１防漏面２６１と、第２防漏面２６２と、第３防漏面２６３とを有する。ギャザー２１１は、固定端２２７において吸収体３０の幅方向の両側の縁部に対応する位置において表面シート１０に接合される。第１防漏面２６１は、固定端２２７から吸収性物品の幅方向外側へ向けて延びる。ギャザー２１１は、第１防漏面２６１の端部２６１ａに、表面シート１０と接合される接合部２３７を有する。
【００７９】
第２防漏面２６２は、第１防漏面２６１の端部２６１ａにおいて折り返され、吸収性物品の幅方向内側に向けて延びる。第３防漏面２６３は、第２防漏面２６２の端部２６２ａから吸収性物品の幅方向外側へ向けて延びる。
【００８０】
図１２に示す変形例では、吸収性物品の厚み方向において、接着材１００が配設される固定領域１１１とギャザー２１１とは、互いに部分的に重なる位置に配置される。具体的に、吸収性物品の厚み方向において、固定領域１１１と第３防漏面２６３の一部とは互いに重なる位置に配置される。
【００８１】
（第５実施形態）
図１３乃至図１５を参照して、本発明の第５実施形態に係る吸収性物品５について説明する。図１３は、本発明の実施形態に係る吸収性物品５の平面図である。図１４は、図１３に示すＦ１３Ａ−Ｆ１３Ａ’線における断面図である。図１５は、図１３に示すＦ１３Ｂ−Ｆ１３Ｂ’線における断面図である。吸収性物品５と吸収性物品４とはギャザーの形態が異なる。第１〜第４実施形態と同一の構成には、同一の番号を付けて詳細な説明を省略する。
【００８２】
吸収性物品５は、ギャザー２１３，２１４を有する。ギャザー２１３，２１４は、表面シート１０に配設されており、吸収性物品５の幅方向に所定の間隔を有し吸収性物品５の長手方向に延在する。ギャザー２１３，２１４は、前方領域Ｆから後方領域Ｒに亘って延びる。本実施形態において、ギャザー２１３，２１４は、防漏部を構成する。
【００８３】
中央ウィング６５，６６の、裏面シート２０の着用者の肌側とは反対の表面の固定領域１０９Ｍ，１１０Ｍには接着材１００が配置される。固定領域１０９Ｍ，１１０Ｍは、図１３において破線で示される。図１３に示すように、吸収性物品５の平面視において、固定領域１０９Ｍに対応する領域とギャザー２１３に対応する領域とは互いに部分的に重なっている。また、固定領域１１０Ｍに対応する領域とギャザー２１４に対応する領域とは互いに部分的に重なっている。
【００８４】
ギャザー２１３は、吸収体３０の幅方向の両側の縁部に対応する位置において表面シート１０に接合される固定端２２９と、中央ウィング部６５における着用者の肌側の表面に接合される中央ウィング接合部２３９Ｍとを有する。固定端２２９と中央ウィング接合部２３９Ｍとの間はループ状になっており、中空部ＡＲが形成されている。
【００８５】
ギャザー２１４は、吸収体３０の幅方向の両側の縁部に対応する位置において表面シート１０に接合される固定端２３０と、中央ウィング部６６における着用者の肌側の表面に接合される中央ウィング接合部２４０Ｍとを有する。固定端２３０と中央ウィング接合部２４０Ｍとの間はループ状になっており、中空部ＡＲが形成されている。
【００８６】
後方ウィング部６７，６８の、裏面シート２０の着用者の肌側とは反対の表面の固定領域１０９Ｒ，１１０Ｒには接着材１００が配置される。固定領域１０９Ｒ，１１０Ｒは、図１３において破線で示される。図１３に示すように、吸収性物品５の平面視において、固定領域１０９Ｒに対応する領域とギャザー２１３に対応する領域とは互いに重なっている。また、固定領域１１０Ｒに対応する領域とギャザー２１４に対応する領域とは互いに重なっている。
【００８７】
図１５に示すように、ギャザー２１３は、吸収体３０の幅方向の両側の縁部に対応する位置において表面シート１０に接合される固定端２２９と、後方ウィング部６７における着用者の肌側の表面に接合される後方ウィング接合部２３９Ｒとを有する。固定端２２９と後方ウィング接合部２３９Ｒとの間はループ状になっており、中空部ＡＲが形成されている。
【００８８】
図１５に示すように、ギャザー２１４は、吸収体３０の幅方向の両側の縁部に対応する位置において表面シート１０に接合される固定端２３０と、後方ウィング部６８における着用者の肌側の表面に接合される後方ウィング接合部２４０Ｒとを有する。固定端２３０と後方ウィング接合部２４０Ｒとの間はループ状になっており、中空部ＡＲが形成されている。
【００８９】
また、着用者の下着と接触する裏面シート２０の表面には、裏面シート２０の長手方向に沿って接着材７０がライン状に塗布される（図１３には不図示、図１３及び図１４参照）。接着材７０は、裏面シート２０の長手方向に沿って複数ライン塗布される。
【００９０】
以上のように、吸収性物品５では、中央ウィング部６５，６６が下着の肌側とは反対の表面に折り返されて１０９Ｍ，１１０Ｍが接着されるとともに、前方ウィング部６３，６４及び後方ウィング部６７，６８に設けられた固定領域１０９Ｆ，１１０Ｍ，１０９Ｒ，１１０Ｒが下着に接着されると、ギャザー２０７，２０８が幅方向外側に開いた状態で固定される。従って、ギャザー２１３，２１４が吸収面に向かって倒れることがなく、装着されるまでの間、平面状態を保持することができる。また、装着時においても、ギャザー２１３，２１４が吸収面に向かって倒れ込むことを防止でき、吸収面を確保することができる。従って、吸収性物品５の中央領域Ｍと下着との留め付けを確実にするとともに、中央領域Ｍにおいて、表面シート１０の表面を伝う体液が吸収性物品５の外側へ漏れることを防止できる。
【００９１】
また、吸収性物品５は、ギャザー２１３，２１４が中央ウィング接合部２３９Ｍ,２４０Ｍ、後方ウィング接合部２３９Ｒ，２４０Ｒによってウィング部を構成するシート部分に接合されるため、吸収性物品５が下着に係止されてから下着を引き上げて装着するまでの間に、ギャザー２１３，２１４がウィング部を構成するシート部分から浮き上がることを防止することができる。また、ギャザー２１３，２１４に連れて吸収性物品５が下着から離れることを防止することができるため、吸収性物品５を下着の適正な位置に確実に留め付けることができる。
【００９２】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００９３】
例えば、本発明の実施形態は、次のように変更することができる。具体的には、吸収性物品１は、生理用ナプキンであるものとして説明したが、これに限定されるものではなく、例えば、失禁パットやパンティーライナー、使い捨ておむつなどであってもよい。
【００９４】
また、ギャザーの内部には、長手方向に沿って、長手方向に伸縮性を有する紐状体が伸張された状態で設けられていてもよい。更に、ギャザーを構成する資材自体が伸縮性を有していてもよい。また、ギャザーの形状や折り返し方については、上述した各実施形態で説明した以外であってもよいことは勿論である。
【００９５】
また、上述した実施形態では、ギャザーの固定端は、吸収体３０の幅方向の両側の縁部に対応する位置において表面シート１０に接合されると説明した。しかし、固定端は、吸収体３０の縁部と重なる位置に接合されていてもよい。
【００９６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９７】
１，２，３，４，５…吸収性物品、  １０…表面シート、  ２０…裏面シート、  ２１，２２…中央ウィング部、  ２１ａ，２２ａ…付け根部分、  ２３，２４…接合部、  ３０…吸収体、  ３１…両側縁部、  ４１，４２…サイドシート、６０…中央ウィング部、  ６１ｆ，６２ｆ…中央ウィング部、  ６１ｒ，６２ｒ…後方ウィング部、  ６１ａ，６２ａ…付け根部分、  ６３，６４…前方ウィング部、  ６５，６６…中央ウィング部、  ６７，６８…後方ウィング部、  ７０…接着材  １００…接着材、  １０１，１０２…固定領域、  １０３，１０４…固定領域、  １０５，１０６…固定領域、  １０７Ｆ，１０８Ｆ，１０７Ｍ，１０８Ｍ，１０７Ｒ，１０８Ｒ…固定領域、  １０９Ｆ，１１０Ｆ，１０９Ｍ、１１０Ｍ，１０９Ｒ，１１０Ｒ…固定領域、  １１１…固定領域、  ２０１…サイドシート、  ２０１，２０２…サイドシート、  ２０３，２０４…防漏部、  ２０５，２０６…ギャザー、  ２０７，２０８…ギャザー、  ２０９…ギャザー、  ２１１…ギャザー、  ２１３，２１４…ギャザー、  ２２１，２２２，２２３，２２４，２２５，２２７，２２９，２３０…固定端、  ２３１，２３２…中央ウィング接合部、  ２３３Ｆ，２３４Ｆ…前方ウィング接合部、  ２３３Ｍ,２３４Ｍ…中央ウィング接合部、  ２３３Ｒ，２３４Ｒ…後方ウィング接合部、  ２３５，２３７…接合部、  ２３９Ｍ,２４０Ｍ…中央ウィング接合部、  ２３９Ｒ，２４０Ｒ…後方ウィング接合部、  ２５１…第１防漏面、  ２５１ａ…端部、  ２５２…第２防漏面、  ２５２ａ…端部、  ２５３…第３防漏面、  ２５３ａ…端部、  ２６１…第１防漏面、  ２６１ａ…端部、  ２６２…第２防漏面、  ２６２ａ…端部、  ２６３…第３防漏面
【図１】
2010284231.tif 000003
【図２】
2010284231.tif 000004
【図３】
2010284231.tif 000005
【図４】
2010284231.tif 000006
【図５】
2010284231.tif 000007
【図６】
2010284231.tif 000008
【図７】
2010284231.tif 000009
【図８】
2010284231.tif 000010
【図９】
2010284231.tif 000011
【図１０】
2010284231.tif 000012
【図１１】
2010284231.tif 000013
【図１２】
2010284231.tif 000014
【図１３】
2010284231.tif 000015
【図１４】
2010284231.tif 000016
【図１５】
2010284231.tif 000017